(57)【特許請求の範囲】
【請求項１】
互いに嵌合される一対のコネクタハウジングのうちの一方のコネクタハウジングにレバーが回動可能に装着され、該レバーは、各一端側に回動孔を有する一対のレバー側板と、該一対のレバー側板の他端同士を連結する操作部とを備える略Ｕ字状をなし、前記一対のレバー側板の一端側を外側に開くことで、前記一方のコネクタハウジングの外側面に設けた回動支点凸部に前記回動孔を回動可能に嵌合させるものであり、このレバーを回動操作することにより、該レバーと前記他方のコネクタハウジングとの間に設けたカム機構の作用によって前記両コネクタハウジングの嵌合と離脱を助勢するように構成し、
前記レバー側板の他端側の外縁部に切欠部を設けると共に、前記一方のコネクタハウジングの外側面に、前記切欠部を係合させることにより、前記レバーを一方のコネクタハウジングに装着するときの回動操作の支点となるリブを突設し、また、前記レバー側板の外縁部内面に、前記リブを支点として前記レバーを回動操作することによって前記一方のコネクタハウジングの外側面に設けた回動支点凸部に前記レバー側板に設けた回動孔を嵌合させるときに、前記回動支点凸部への前記レバー側板の乗り上げを誘導して、該レバー側板の外側への開きを促し、それにより、前記回動支点凸部への前記回動孔の嵌合を案内するガイド斜面を設けたレバー式コネクタであって、
前記レバーが、前記切欠部を前記リブに係合させた状態で前記リブを支点として前記レバーを回動操作することによって前記回動支点凸部に前記回動孔を嵌合させた後、前記回動支点凸部と回動孔の嵌合部分を支点として前記レバーを前記レバーの装着時と反対方向へ回動させることによってコネクタ嵌合前の仮係止位置にセットされるものとして構成されていることを特徴とするレバー式コネクタ。
【発明の詳細な説明】
【技術分野】
【０００１】
本発明は、レバーの回動操作により、小さい力で、雄雌コネクタハウジングを嵌合させたり離脱させたりすることのできるレバー式コネクタに関するものである。
【背景技術】
【０００２】
レバー式コネクタは、互いに嵌合される一対のコネクタハウジングのうちの一方のコネクタハウジングにレバーを回動可能に装着し、このレバーを回動操作することにより、レバーと他方のコネクタハウジングとの間に設けたカム機構の作用によって、両コネクタハウジングの嵌合と離脱を助勢するものである。
【０００３】
例えば、特許文献１に記載のレバー式コネクタにおけるレバーは、左右一対のレバー側板の一端側に回動孔を有し、レバー側板の他端側に両レバー側板間を連結する操作部を有した略Ｕ字状をなしている。また、回動孔の近傍に、他方のコネクタハウジングのカム溝（またはカム凸部）と係合するカム凸部（またはカム溝）を有している。
【０００４】
このような構造のレバーをコネクタハウジングに装着する場合、レバー側板の一端側を外側に撓ませながら開いて、コネクタハウジングの外側面に突設してある回動支点凸部に、レバー側板側の回動孔を嵌め込んでいる。
【特許文献１】特開２０００−９１０２６号公報
【発明の開示】
【発明が解決しようとする課題】
【０００５】
しかし、単純に一対のレバー側板の一端側を外側に撓ませながら開いて、回動孔を回動支点凸部に嵌合させる場合、専用の治具を用いてレバー側板を無理に大きく外側に広げつつ、回動孔と回動支点凸部の位置を合わせて組み付けを行わなくてはならないため、組み付け作業性が悪かった。
【０００６】
本発明は、上記事情を考慮し、回動孔と回動支点凸部の位置合わせが簡単にでき、専用の治具を用いてレバー側板を無理に広げないでも、レバーの組み付けを容易に行うことのできるレバー式コネクタを提供することを目的とする。
【課題を解決するための手段】
【０００７】
請求項１の発明は、互いに嵌合される一対のコネクタハウジングのうちの一方のコネクタハウジングにレバーが回動可能に装着され、該レバーは、各一端側に回動孔を有する一対のレバー側板と、該一対のレバー側板の他端同士を連結する操作部とを備える略Ｕ字状をなし、前記一対のレバー側板の一端側を外側に開くことで、前記一方のコネクタハウジングの外側面に設けた回動支点凸部に前記回動孔を回動可能に嵌合させるものであり、このレバーを回動操作することにより、該レバーと前記他方のコネクタハウジングとの間に設けたカム機構の作用によって前記両コネクタハウジングの嵌合と離脱を助勢するように構成し、前記レバー側板の他端側の外縁部に切欠部を設けると共に、前記一方のコネクタハウジングの外側面に、前記切欠部を係合させることにより、前記レバーを一方のコネクタハウジングに装着するときの回動操作の支点となるリブを突設し、また、前記レバー側板の外縁部内面に、前記リブを支点として前記レバーを回動操作することによって前記一方のコネクタハウジングの外側面に設けた回動支点凸部に前記レバー側板に設けた回動孔を嵌合させるときに、前記回動支点凸部への前記レバー側板の乗り上げを誘導して、該レバー側板の外側への開きを促し、それにより、前記回動支点凸部への前記回動孔の嵌合を案内するガイド斜面を設けたレバー式コネクタであって、前記レバーが、前記切欠部を前記リブに係合させた状態で前記リブを支点として前記レバーを回動操作することによって前記回動支点凸部に前記回動孔を嵌合させた後、前記回動支点凸部と回動孔の嵌合部分を支点として前記レバーを前記レバーの装着時と反対方向へ回動させることによってコネクタ嵌合前の仮係止位置にセットされるものとして構成されていることを特徴とする。
【発明の効果】
【００１０】
請求項１の発明によれば、レバーの切欠部をコネクタハウジングのリブに係合させ、その状態でリブを支点にしてレバーを回動させることにより、レバー側板のガイド斜面を、コネクタハウジング側の回動支点凸部に位置合わせすることができる。そしてそのままレバーを回動させることにより、ガイド斜面の作用により、レバー側板を回動支点凸部に乗り上げさせることができ、引き続いて回動支点凸部へ回動孔を嵌合させることができる。従って、レバー側板を専用の治具を用いて無理に広げつつ位置合わせする必要がなくなり、最小の負荷で簡単にレバー側板の回動孔をコネクタハウジングの回動支点凸部に嵌め込むことができる。そのため、組み付け作業性が向上し、レバーを空中でワンタッチで組み付けることも可能になる。特に、コネクタ嵌合前のレバーを仮係止位置に保持することができるので、コネクタの嵌合操作を、予めカム機構の位置が合った仮係止状態からのレバー操作でスムーズに行うことができる。
【発明を実施するための最良の形態】
【００１３】
以下、本発明の実施形態を図面を参照して説明する。
【００１４】
図１は実施形態のレバー式コネクタの嵌合前の状態を示す斜視図、図２は図１とは反対側から見た側面図、図３はレバーの下から見た斜視図、図４は同レバーのガイド斜面を設けた部分の横断面図、図５はレバーを雄コネクタハウジングに装着する際の最初の段階を示す側面図、図６は図５の状態からレバーを少し回動させた状態を示す側面図、図７は図６の状態のときの上から見た概略平面図、図８はレバーを雄コネクタハウジングに装着して仮係止位置まで回動させる前の状態を示す側面図、図９は図８の反対側から見た側面図、図１０は図８の状態からレバーを仮係止位置まで回動させる途中の段階を示す側面図、図１１は図１０の状態を反対側から見た側面図、図１２はレバーを仮係止位置まで回動させた状態を示す側面図、図１３は図１２の状態を反対側から見た側面図、図１４はレバーを仮係止位置にセットした雄コネクタを雌コネクタに嵌合させる初期の段階における、レバー側の仮係止アームと雌コネクタ側の仮係止解除部との関係を斜め上から見た斜視図である。
【００１５】
図１、図２に示すように、このレバー式コネクタは、雄コネクタハウジング１０Ｈに複数の端子（不図示）を装着した雄コネクタ１０と、雌コネクタハウジング２００Ｈに複数の端子（不図示）を装着した雌コネクタ２００と、回動操作により雄コネクタ１０と雌コネクタ２００の嵌合と離脱を助勢するレバー１００と、から構成されている。
【００１６】
レバー１００は、互いに嵌合される雄コネクタハウジング１０Ｈと雌コネクタハウジング２００Ｈのうちの雄コネクタハウジング１０Ｈに回動可能に装着されている。
【００１７】
雌コネクタハウジング２００Ｈは、雄コネクタハウジング１０Ｈを嵌合させるための嵌合口２０１を備えており、雄コネクタハウジング１０Ｈに装着されたレバー１００は、雄コネクタハウジング１０Ｈと共に雌コネクタハウジング２００Ｈの嵌合口２０１に挿入されるようになっている。
【００１８】
図１〜図４に示すように、レバー１００は、各一端側に回動孔１０６、１０７を有する一対のレバー側板１０２、１０２と、一対のレバー側板１０２、１０２の他端同士を連結する操作部１０３とを備える略Ｕ字状をなしており、一対のレバー側板１０２、１０２の一端側を外側に開くことで、雄コネクタハウジング１０Ｈの外側面１１Ａ、１１Ｂに設けた回動支点凸部１６、１７に、回動孔１０６、１０７を回動可能に嵌合させるものとして構成されている。
【００１９】
レバー１００の操作部１０３には、ロックアーム１０５Ｒを備えた開口１０５が設けられており、ロックアーム１０５Ｒは、レバー１００を回動させることによって雄コネクタ１０を雌コネクタ２００に完全に嵌合させたときに、雌コネクタハウジング２００Ｈの嵌合口２０１の内壁に設けたロック部２０５（図１参照）にロックすることで、嵌合状態を維持するようになっている。
【００２０】
このレバー式コネクタは、レバー１００を回動操作することにより、レバー１００と雌コネクタハウジング２００Ｈとの間に設けたカム機構の作用によって両コネクタハウジング１０Ｈ、２００Ｈの嵌合と離脱を助勢するものであり、雌コネクタハウジング２００Ｈの嵌合口２０１の内側面とレバー側板１０２の外側面には、カム機構を構成するカム溝２２０とカム溝２２０に係合されるカム凸部１２０がそれぞれ形成されている。
【００２１】
雄コネクタハウジング１０Ｈ及びレバー１００並びに雌コネクタハウジング２００Ｈは、それぞれ樹脂の一体成形品で構成されており、雌コネクタハウジング２００Ｈの嵌合口２０１の側壁には、カム溝２２０を成形する際に型抜きを行うための型抜き孔２２１が設けられている。また、嵌合口２０１の対向側壁の内面左右端には、コネクタ嵌合方向に平行なガイド溝２０２が設けられている。
【００２２】
各レバー側板１０２の操作部３側の外縁部のコネクタ嵌合方向の前端側には、への字状の切欠部１０４が設けられている。また、雄コネクタハウジング１０Ｈの外側面１１Ａ、１１Ｂの左右方向（コネクタハウジングの長手方向）の両端部には、雌コネクタハウジング２００Ｈに形成したガイド溝２０２にスライド自在に挿入されるガイド用のリブ１４が突設されている。これらのリブ１４は、一端側のリブ１４に両レバー側板１０２の切欠部１０４を係合させることにより、レバー１００を雄コネクタハウジング１０Ｈに装着するときの回動操作の支点となる部位である。リブ１４の上端には、レバー１００の切欠部１０４を係合しやすくするための浅い溝１４ａが設けられている。
【００２３】
また、図３、図４に示すように、両レバー側板１０２のコネクタ嵌合方向前端側の外縁部の内面には、ガイド斜面１０８が設けられている。このガイド斜面１０８は、雄コネクタハウジング１０Ｈ側のリブ１４を支点として、レバー１００を回動操作することにより、雄コネクタハウジング１０Ｈの外側面１１Ａ、１１Ｂに設けた回動支点凸部１６、１７にレバー側板１０２に設けた回動孔１０６、１０７を嵌合させるときに、回動支点凸部１６、１７へのレバー側板１０２の乗り上げを誘導して、レバー側板１０２の外側への開きを促し、それにより、回動支点凸部１６、１７への回動孔１０６、１０７の嵌合を案内するガイド機能を果たすものである。
【００２４】
本実施形態では、雄コネクタハウジング１０Ｈに対するレバー１００の取り付け向きを２通りに選択できるように、回動支点凸部１６、１７と回動孔１０６、１０７とが、コネクタ嵌合方向と略直交する方向に並べてそれぞれ２つずつ設けられている。そして、ガイド斜面１０８は、レバー側板１０２の操作部３に近い方の回動孔１０６及び回動支点凸部１６に対応する位置だけに設けられている。
【００２５】
また、レバー１００は、切欠部１０４をリブ１４に係合させた状態でリブ１４を支点としてレバー１００を回動操作することによって回動支点凸部１６、１７に回動孔１０６、１０７を嵌合させた後、回動支点凸部１６、１７と回動孔１０６、１０７の嵌合部分を支点としてレバー１００をレバー１００の装着時と反対方向へ回動させることによってコネクタ嵌合前の仮係止位置にセットされるものとして構成されている。
【００２６】
その仮係止位置にレバー１００を仮保持しておくために、レバー側板１０２には、可撓性を有する仮係止アームが突設されている。また、雄コネクタハウジング１０Ｈの外側面１１Ａ、１１Ｂには、仮係止アーム１１０が係合する仮係止凸部１８が設けられている。
【００２７】
仮係止アーム１１０は、仮係止凸部１８に係合することによって、レバー１００を仮係止位置に仮保持するものであり、レバー側板１０２のコネクタ嵌合方向の前端側の外縁部に、レバー側板１０２との間に切り離し隙間１１２を介して、片持梁状の形態で隣接配置されている。そして、仮係止アーム１１０は、通常は、仮係止凸部１８と係合し得る定位置にあり、レバー側板１０２の外側へ向けての撓みにより、仮係止凸部１８に対する係合を解除し得るものとして構成されている。
【００２８】
また、仮係止凸部１８のコネクタ嵌合方向の前端側の側面には、仮係止アーム１１０と摺動することで仮係止アーム１１０を外側へ撓ませながら仮係止凸部１８の上に乗り上げさせる傾斜面１８ａが設けられ、傾斜面１８ａと反対側の側面には、仮係止アーム１１０の端面と係合する係止壁１８ｂが設けられている。
【００２９】
また、仮係止アーム１１０の先端には、仮係止解除突起１１１が設けられると共に、雌コネクタハウジング２００Ｈの嵌合口２０１の内壁には、図１４に示すように、雌コネクタ２００に雄コネクタ１０を嵌合させる初期の段階で、仮係止突起１１１と干渉することにより、仮係止アーム１１０を外側に撓ませて、仮係止凸部１８に対する仮係止を解除する仮係止解除部２１０が設けられている。
【００３０】
また、図３に示すように、レバー側板１０２の内面には、レバー１００が回動する際の仮係止凸部１８とレバー側板１０２の干渉を逃げるための逃げ溝１１９が形成されている。
【００３１】
また、レバー側板１０２の操作部１０３と反対側（一端側）のコネクタ嵌合方向前端側の外縁部には、突起１１５、１１６が設けられている。また、レバー１００を装着する雄コネクタハウジング１０Ｈの外側面１１Ａ、１１Ｂのコネクタ嵌合方向の前端には、レバー側板１０２の外縁部に設けた突起１１５、１１６と係合することで、レバー側板１０２の外側への開きを防止する鉤型の受部１５Ａ、１５Ｂが設けらている。受部１５Ａの内側には、突起１１５、１１６が通過する溝１５ａが確保されている。
【００３２】
突起１１５、１１６と受部１５Ａ、１５Ｂは、少なくとも雄コネクタハウジング１０Ｈに装着したレバー１００をコネクタ嵌合前の仮係止位置にセットしたとき、また、レバー１００を雄コネクタハウジング１０Ｈに装着してから仮係止位置まで回動させる間、常時、いずれかのもの同士が互いに係合し得る位置関係で設けられている。
【００３３】
本実施形態の場合、雄コネクタハウジング１０Ｈに対するレバー１００の取り付け向きを第１の方向とそれと反対の第２の方向の２通りに選択できるようにしてあり、雄コネクタハウジング１０Ｈが略左右対称に構成されているので、それに対応して、受部１５Ａ、１５Ｂも、雄コネクタハウジング１０Ｈの左右方向の中心位置に対して左右対称に設けられている。なお、図８と図９を見比べれば分かるように、表側の外側面１１Ａの２つの受部１５Ａの間隔と裏側の外側面１１Ｂの２つの受部１５Ａの間隔は異なっている。
【００３４】
次に作用を説明する。
【００３５】
まず、雄コネクタハウジング１０Ｈにレバー１００を組み付けるには、図５、図６に示すように、レバー側板１０２に設けたへの字状の切欠部１０４を、雄コネクタハウジング１０Ｈの端部に設けたリブ１４に引っ掛ける。そしてリブ１４を支点にして、レバー１００を矢印Ａ方向に回動させる。
【００３６】
そうすると、回動支点凸部１６、１７にレバー１００のレバー側板１０２の外縁部が当たる。その際、図６及び図７に示すように、操作部１０３に近い側の回動支点凸部１６は、レバー側板１０２の外縁部内面に設けたガイド斜面１０８に当たるので、レバー１００を回動させる（押し込む）のに従い、ガイド斜面１０８の働きで、レバー側板１０２が外側に図７中矢印Ｂのように開き、それにより、回動支点凸部１６、１７が回動孔１０６、１０７にそれぞれ嵌まる。
【００３７】
この際、回動動作の支点が、リブ１４に切欠部１０４が係合することによって明確に決まるので、特に目見当を働かせないでも自動的に、ガイド斜面１０８を回動支点凸部１６に位置合わせすることができ、そのままレバー１００を更に回動させるだけで、レバー１００の装着（回動支点凸部１６、１７と回動孔１０６、１０７の嵌合）ができる。
【００３８】
従って、レバー側板１０２を専用の治具を用いて無理に広げつつ位置合わせする必要がなくなり、最小の負荷で簡単に、レバー側板１０２の回動孔１０６、１０７を雄コネクタハウジング１０Ｈの回動支点凸部１６、１７に嵌め込むことができる。その結果、組み付け作業性の向上を図ることができて、レバー１００を空中で雄コネクタハウジング１０Ｈにワンタッチで組み付けることも可能になる。
【００３９】
また、本実施形態の場合、回動支点凸部１６、１７が横に並んで２つあるが、レバー側板１０２の操作部１０３に近い側（基端側）の回動支点凸部１６にガイド斜面１０８が当たるようになっているので、ガイド斜面１０８の働きで回動支点凸部１６にレバー側板１０２を乗り上げさせることによって、レバー１００の操作部１０３から遠い側に位置する回動支点凸部１７に対して、レバー側板１０２をより大きく開かせることができる。従って、操作部１０３から遠い側にある回動支点凸部１７に関しては、ガイド斜面がなくても容易に回動孔１０７を嵌めることができ、ガイド斜面１０８を最小数だけ設ければ済むことになる。
【００４０】
以上のように、レバー１００を雄コネクタハウジング１０Ｈに組み付けると、図８、図９に示すような状態になる。そこで今度は、矢印Ｃ方向にレバー１００を移動させる。即ち、回動支点凸部１６、１７と回動孔１０６、１０７の嵌合部分を支点にして、レバー１００の操作部１０３側を引き上げる。そうすると、図１０、図１１に示すように、仮係止アーム１１０が仮係止凸部１８の傾斜面１８ａに乗り上げて乗り越し、図１２、図１３に示すように、撓みから定位置に復帰することで、仮係止アーム１１０が、仮係止凸部１８の係止壁１８ｂに係合することになる。
【００４１】
この状態が図１、図２にも示した仮係止状態であり、レバー１００は、この仮係止位置にあるとき、図１２中の矢印Ｄ方向にもＥ方向にも動かないように仮ロックされる。つまり、Ｄ方向には、仮係止アーム１１０が仮係止凸部１８に係合することでロックされ、Ｅ方向には、他の干渉部位がストッパとして機能することによりロックされる。レバー１００は、雌コネクタ２００に嵌合する前、雄コネクタに対しこの状態で保持されている。
【００４２】
このようして実現したレバー１００の仮係止状態においては、レバー１００側の突起１１５とコネクタハウジング１０Ｈ側の受部１５Ａ、１５Ｂが係合する。従って、レバー側板１０２の開きを防止することができ、レバー１００を脱落しないように確実に保持しておくことができる。そのため、レバー式コネクタの信頼性の向上が図れる。
【００４３】
また、レバー１００を雄コネクタハウジング１０Ｈに対して装着した時の位置（図８、図９に示す位置）から仮係止位置（図１２、図１３に示す位置）まで回動させる間、突起１１５、１１６と受部１５Ａ、１５Ｂのいずれかのもの同士が常時係合するようになっているので、回動操作途中でレバー１００が脱落するのを防ぐことができ、組み付け作業性の向上が図れる。
【００４４】
また、雄コネクタハウジング１０Ｈの表側と裏側の外側面１１Ａ、１１Ｂの両方に受部１５Ａ、１５Ｂを設けているので、両方のレバー側板１０２の開きをバランスよく抑えることができ、レバー１００の外れを確実に防止することができる。
【００４５】
次に、雌コネクタ２００と嵌合させる場合の動作について述べる。
【００４６】
その場合は、レバー１００が仮係止位置に保持された雄コネクタ１０を、まず、雌コネクタハウジング２００Ｈの嵌合口２０１に挿入する。レバー１００は、嵌合口２０１の内側に雄コネクタハウジング１０Ｈと一緒に進入し、その際、リブ１４がガイド溝２０２に案内されることにより、雄コネクタ１０は真っ直ぐな姿勢で雌コネクタ２００に対峙し、カム凸部１２０がカム溝２２０の入口に誘導される。
【００４７】
この挿入始めの段階で、図１４に示すように、仮係止解除部２１０に仮係止アーム１１０の先端の仮係止開度突起１１１が当たり、仮係止解除部２１０の斜面の作用により、仮係止アーム１１０が外側に撓ませられ、仮係止凸部１８との係合位置から外れる。レバー１００を雌コネクタ２００に向けて押しながら雄コネクタ１０を雌コネクタ２００内に入れて行くと、仮係止アーム１１０と仮係止凸部１８の仮係止状態が解除されるので、バー１００を回動させつつ押し込むことができる状態になる。そして、レバー１００を押し込むように回動させることにより、カム溝２２０とカム凸部１２０のカム作用により、両コネクタ１０、２００が完全に嵌合する。
【００４８】
以上のように、このレバー式コネクタの場合、コネクタ嵌合前のレバー２００を仮係止位置に保持するようにしているので、雄雌コネクタ１０、２００の嵌合操作を、予めカム溝２２０とカム凸部１２０の位置が合った仮係止状態からのレバー１００の操作でスムーズに行うことができる。
【００４９】
また、雄雌コネクタ１０、２００を嵌合した状態において、外側にレバー１００が露出しないので、コンパクトな構造にすることができる。
【００５０】
なお、以上においては、レバー１００を第１の方向から装着した場合だけについて説明したが、反対の方向からレバー１００を雄コネクタハウジング１０Ｈに装着することもできる。その場合も、雄コネクタハウジング１０Ｈ側の受部１５Ａ、１５Ｂを左右対称に配置しているので、雄コネクタハウジング１０Ｈに対するレバー１００の取り付け方向によらず、レバー１００の脱落防止を果たすことができる。
【図面の簡単な説明】
【００５１】
【図１】本発明の実施形態のレバー式コネクタの嵌合前の状態を示す斜視図である。
【図２】図１とは反対側から見た側面図である。
【図３】レバーの下から見た斜視図である。
【図４】同レバーのガイド斜面を設けた部分の横断面図である。
【図５】レバーを雄コネクタハウジングに装着する際の最初の段階を示す側面図である。
【図６】図５の状態からレバーを少し回動させた状態を示す側面図である。
【図７】図６の状態のときの上から見た概略平面図である。
【図８】レバーを雄コネクタハウジングに装着して仮係止位置まで回動させる前の状態を示す側面図である。
【図９】図８の反対側から見た側面図である。
【図１０】図８の状態からレバーを仮係止位置まで回動させる途中の段階を示す側面図である。
【図１１】図１０の状態を反対側から見た側面図である。
【図１２】レバーを仮係止位置まで回動させた状態を示す側面図である。
【図１３】図１２の状態を反対側から見た側面図である。
【図１４】レバーを仮係止位置にセットした雄コネクタを雌コネクタに嵌合させる初期の段階における、レバー側の仮係止アームと雌コネクタ側の仮係止解除部との関係を斜め上から見た斜視図である。
【符号の説明】
【００５２】
１０  雄コネクタ
１０Ｈ  雄コネクタハウジング（一方のコネクタハウジング）
１１Ａ，１１Ｂ  外側面
１４  リブ
１６，１７  回動支点凸部
１００  レバー
１０２  レバー側板
１０３  操作部
１０４  切欠部
１０６，１０７  回動孔
１０８  ガイド斜面
１２０  カム凸部（カム機構）  
２００  雌コネクタ
２００Ｈ  雌コネクタハウジング
２２０  カム溝（カム機構）
【図１】
0005007215.tif 000002
【図２】
0005007215.tif 000003
【図３】
0005007215.tif 000004
【図４】
0005007215.tif 000005
【図５】
0005007215.tif 000006
【図６】
0005007215.tif 000007
【図７】
0005007215.tif 000008
【図８】
0005007215.tif 000009
【図９】
0005007215.tif 000010
【図１０】
0005007215.tif 000011
【図１１】
0005007215.tif 000012
【図１２】
0005007215.tif 000013
【図１３】
0005007215.tif 000014
【図１４】
0005007215.tif 000015